(57)【要約】【課題】ブック原稿の画像を読み取る際に、ユーザの負担の増加を抑制しつつ良好な読み取り結果が得られるようにする。【解決手段】画像読取装置の制御部は、コピー用のスタートボタン５１が押下された場合、原稿台のカバーが開いているかどうか判断する。カバーが閉じている場合はコピーを開始するが、カバーが開いている場合は、すぐにはコピーを実行せず、計時を開始する。計時開始後の計時時間が、設定されているコピー開始待ち時間Ｔに達した場合、コピーを実行する。【選択図】図４
2018056954.tif 000002
【特許請求の範囲】
【請求項１】
原稿が載置される原稿台と、
前記原稿台を覆うカバーと、
前記カバーの開閉状態を検知する開閉検知部と、
前記原稿台に載置された前記原稿の画像を読み取る読取部と、
入力部と、
制御部と、
を備えた画像読取装置であって、
前記制御部は、
前記入力部により前記原稿の読み取りを開始する指示である読取開始指示が入力されたか否か判断する開始指示判断処理と、
前記開閉検知部により前記カバーが開いていることが検知されているか否か判断する開閉判断処理と、
前記開始指示判断処理により前記読取開始指示が入力されたと判断された場合に、前記開閉判断処理により前記カバーが開いていることが検知されていると判断されたら、計時を開始する計時処理と、
前記計時処理による計時時間が特定の待機時間以上経過した場合、前記読取部による前記原稿の画像の読み取りを開始させる読取開始処理と、
を実行する、画像読取装置。
【請求項２】
請求項１に記載の画像読取装置であって、
表示部を備え、
前記制御部は、前記計時時間を示す計時情報を前記表示部に表示させる表示処理を実行する、画像読取装置。
【請求項３】
請求項２に記載の画像読取装置であって、
前記制御部は、
前記計時処理による計時の開始後、前記計時時間が前記待機時間に到達するまでの間に、前記入力部により前記計時を一時停止させる一時停止指示が入力された場合、前記計時処理による計時を一時停止させる一時停止処理と、
前記一時停止処理の実行後、前記入力部により前記計時を再開させる再開指示が入力された場合、前記計時処理による計時を再開させる再開処理と、
を実行する、画像読取装置。
【請求項４】
請求項２又は請求項３に記載の画像読取装置であって、
前記制御部は、前記計時処理による計時の開始後、前記計時時間が前記待機時間に到達するまでの間に、前記入力部により前記計時時間を現在の値から増加又は減少させる増減指示が入力された場合、前記計時時間を前記増減指示に基づいて増加又は減少させる計時増減処理を実行する、画像読取装置。
【請求項５】
請求項２〜請求項４の何れか１項に記載の画像読取装置であって、
前記計時情報は、前記待機時間に対する前記計時時間の割合を示すプログレスバーを含む、画像読取装置。
【請求項６】
請求項４に記載の画像読取装置であって、
前記入力部は、前記表示部に表示される画像中の特定の位置を指示体によって指示可能に構成されたタッチパネルを有し、
前記計時情報は、前記待機時間に対する前記計時時間の割合を示すプログレスバーを含み、
前記増減指示は、前記タッチパネルを介して、前記プログレスバー中の前記計時時間を示す棒状の計時時間画像を前記指示体により指示した状態で、前記指示体を、前記計時時間画像の長さが前記計時時間の増加に応じて伸びていく方向、又は前記計時時間画像の長さが前記計時時間の減少に応じて縮む方向へ移動させる指示であり、
前記計時増減処理は、前記増減指示として、前記指示体を前記計時時間画像の長さが前記伸びていく方向へ移動させる指示が行われた場合は、その移動量に応じて前記計時時間を増加させ、前記増減指示として、前記指示体を前記計時時間画像の長さが縮む方向へ移動させる指示が行われた場合は、その移動量に応じて前記計時時間を減少させるよう構成されている、
画像読取装置。
【請求項７】
請求項１〜請求項６の何れか１項に記載の画像読取装置であって、
前記計時処理を実行するか否かを予め設定可能に構成されており、
前記制御部は、前記計時処理を実行するよう設定されている場合に前記計時処理を実行し、前記計時処理を実行しないよう設定されている場合は、前記入力部により前記読取開始指示が入力されたら、前記開閉検知部による検知状態にかかわらず前記計時処理は行わずに前記読取開始処理を実行する、
画像読取装置。
【請求項８】
請求項７に記載の画像読取装置であって、
前記制御部は、前記計時処理の実行中、前記入力部により前記計時処理を実行するか否かの設定を変更する設定変更指示が入力された場合、その設定変更指示に応じて前記設定を変更する設定変更処理を実行する、画像読取装置。
【請求項９】
原稿が載置される原稿台と、
前記原稿台を覆うカバーと、
前記カバーの開閉状態を検知する開閉検知部と、
前記原稿台に載置された前記原稿の画像を読み取る読取部と、
入力部と、
制御部と、
を備える画像読取装置における前記制御部が実行可能なプログラムが記憶された記憶媒体であって、
前記プログラムとして、前記制御部に、
前記入力部により前記原稿の読み取りを開始する指示である読取開始指示が入力されたか否か判断する開始指示判断処理と、
前記開閉検知部により前記カバーが開いていることが検知されているか否か判断する開閉判断処理と、
前記開始指示判断処理により前記読取開始指示が入力されたと判断された場合に、前記開閉判断処理により前記カバーが開いていることが検知されていると判断されたら、計時を開始する計時処理と、
前記計時処理による計時時間が特定の待機時間以上経過した場合、前記読取部による前記原稿の画像の読み取りを開始させる読取開始処理と、
を実行させるためのプログラムが記憶された記憶媒体。
【発明の詳細な説明】
【技術分野】
【０００１】
本発明は、原稿台に載置された原稿の画像を読み取る技術に関する。
【背景技術】
【０００２】
コピー機やスキャナなどの各種の画像読取装置の使用態様として、本の見開き全体若しくは見開きの一部（以下、ブック原稿）の画像を読み取らせる場合がある。特許文献１には、ブック原稿に対応した機能を備えたスキャナが開示されている。
【０００３】
画像読取装置で原稿の画像を読み取らせる際、一般的には、原稿台のカバーを開き、原稿台の上に原稿を載せて再びカバーを閉じた後、画像読み取りの開始操作を行うことで、画像の読み取りを実行させる。
【０００４】
一方、ブック原稿を読み取らせる際は、原稿台のカバーを開いたまま、ブック原稿を両手で原稿台に押さえつけながら画像読み取りを実行させることがある。なお、ブック原稿を読み取らせる場合に上記のような態様で画像を読み取らせる理由としては、例えば、ブック原稿のうち特に原稿台から離れた状態になりやすい中央部をできる限り原稿台に近づけることが考えられる。
【先行技術文献】
【特許文献】
【０００５】
【特許文献１】特開２００８−１９１５６２号公報
【発明の概要】
【発明が解決しようとする課題】
【０００６】
ブック原稿を両手で原稿台に押さえつけながら読み取らせる場合、次の問題が生じる。即ち、ブック原稿を読み取らせる際は、ユーザは、ブック原稿を原稿台に載置した状態で、画像読み取りの開始操作を行い、その開始操作後にブック原稿を両手で押さえつけることが想定される。このとき、画像の読み取り自体は、開始操作が行われるとすぐに開始される。
【０００７】
そのため、ユーザが開始操作を行った後、まだブック原稿を両手でしっかり押さえつけるまでに至っていない過渡的な状態で画像読み取りが開始されてしまうことがある。そうなると、画像読み取り開始後もユーザによるブック原稿を両手で押さえつける動作が継続されて読み取り実行中にブック原稿が動いてしまい、画像の一部又は全てに対し不適切な読み取り結果が出力されてしまう可能性がある。
【０００８】
本発明は、ブック原稿の画像を読み取る際に、ユーザの負担の増加を抑制しつつ良好な読み取り結果が得られるようにすることを目的とする。
【課題を解決するための手段】
【０００９】
本発明の画像読取装置は、原稿が載置される原稿台と、原稿台を覆うカバーと、カバーの開閉状態を検知する開閉検知部と、原稿台に載置された原稿の画像を読み取る読取部と、入力部と、制御部とを備えた画像読取装置である。制御部は、開始指示判断処理と、開閉判断処理と、計時処理と、読取開始処理とを実行する。
【００１０】
開始指示判断処理は、入力部により原稿の読み取りを開始する指示である読取開始指示が入力されたか否か判断する処理である。開閉判断処理は、開閉検知部によりカバーが開
いていることが検知されているか否か判断する処理である。計時処理は、開始指示判断処理により読取開始指示が入力されたと判断された場合に、開閉判断処理によりカバーが開いていることが検知されていると判断されたら、計時を開始する処理である。読取開始処理は、計時処理による計時時間が特定の待機時間以上経過した場合、読取部による原稿の画像の読み取りを開始させる処理である。
【００１１】
このような構成によれば、カバーを開けた状態で読取開始指示を入力することで、読取開始指示の入力後、少なくとも待機時間が経過するまでの間は、画像の読み取りが開始されない。そのため、例えばブック原稿を読み取らせる場合、読取開始指示の入力後、待機時間が経過するまでの間に、例えばブック原稿を両手で原稿台にしっかり押さえつけるなど、良好な読み取り結果が得られるようにするための各種作業、処置等を完了させることができる。これにより、ブック原稿の画像の読み取りにおいても、ユーザの負担の増加を抑制しつつ、良好な読み取り結果を得ることが可能となる。
【図面の簡単な説明】
【００１２】
【図１】実施形態の複合機の、カバーが閉じている状態とカバーが開いている状態の各々の外観を示す斜視図である。
【図２】実施形態の複合機の電気的構成を示すブロック図である。
【図３】ブック原稿をコピーする際の手順を説明するための説明図である。
【図４】第１実施形態のコピー機能実行時にディスプレイに表示される画面例を示す説明図である。
【図５】第１実施形態のコピー開始待ち画面においてプログレスバーの操作により待機時間を変更できることを示す説明図である。
【図６】第１実施形態のコピー制御処理の一部を示すフローチャートである。
【図７】第１実施形態のコピー制御処理の一部（図６の続き）を示すフローチャートである。
【図８】第２実施形態のコピー開始待ち画面を示す説明図である。
【図９】第２実施形態のコピー制御処理のうち図７に対応する処理部分を示すフローチャートである。
【発明を実施するための形態】
【００１３】
以下、本発明の実施形態について、図面を参照しながら説明する。
［１．第１実施形態］
（１−１）複合機の構成
図１に示す本実施形態の複合機１は、原稿の画像を読み取ってその読み取った画像の画像データを生成するスキャン機能、記録用紙へ画像を印刷する印刷機能、スキャン機能により読み取られた画像を印刷機能によって記録用紙へ印刷するコピー機能、ファクシミリデータを送受信するファクス機能などの、複数の機能を備えている。
【００１４】
複合機１は、図１に示すように、本体部２と、カバー３とを備える。カバー３は、本体部２に対して開閉可能に構成されている。具体的に、本体部２の上面には、原稿を載置するための原稿台４が設けられている。原稿台４は、透明な材質で形成されている。本実施形態の原稿台４は例えばガラス製である。
【００１５】
カバー３は、原稿台４を覆うように設けられる。カバー３が閉じた状態では、原稿台４がカバー３に覆われた状態となる。カバー３を開くと、原稿台４が露出し、原稿台４の上に原稿を載置することが可能な状態となる。
【００１６】
本体部２における原稿台４の下部には、原稿台４に載置された原稿の画像を読み取るための読取ユニット５が搭載されている。読取ユニット５は、原稿台４に載置された原稿へ
光を照射するための光源５ａと、原稿台４に載置された原稿の画像を読み取るイメージセンサ５ｂとを有する。なお、光源５ａ及びイメージセンサ５ｂは、図１では図示を省略しており、図２に図示されている。
【００１７】
また、本体部２の側面には、ディスプレイ６及びタッチパネル７が設けられている。タッチパネル７は、ディスプレイ６に重畳配置されている。ユーザは、タッチパネル７を介して、ディスプレイ６に表示されている画像中の特定の位置を指示体によって指示することができる。ディスプレイ６は、例えば液晶パネルにより構成されている。
【００１８】
なお、周知の通り、指示体によりタッチパネル７をタッチすると、そのタッチされた位置を示す位置信号がタッチパネル７から出力され、制御部１１に入力される。制御部１１は、タッチパネル７から入力される位置信号に基づいて、ディスプレイ６に表示されている画像中のどの位置が指示体によって指示されたのかを認識することができる。
【００１９】
次に、複合機１のより具体的な電気的構成について、図２を用いて説明する。図２に示すように、複合機１は、制御部１１と、記憶部１２と、表示部１３と、入力部１４と、画像読取部１５と、印刷部１６と、カバー開閉センサ１７と、音声出力部１８と、通信部１９とを備え、これらがバス２０を介して相互に接続されている。
【００２０】
本実施形態では、制御部１１はＣＰＵを有する。記憶部１２は、例えばＲＯＭ、ＲＡＭ、ＮＶＲＡＭ、フラッシュメモリなどの半導体メモリを有する。即ち、複合機１は、ＣＰＵ及び半導体メモリを含むマイクロコンピュータを備えている。
【００２１】
制御部１１は、非遷移的実体的記録媒体に格納されたプログラムを実行することにより各種機能を実現する。本実施形態では、記憶部１２が、プログラムを格納した非遷移的実体的記録媒体に該当する。なお、制御部１１により実現される各種機能は、プログラムの実行によって実現することに限るものではなく、その一部又は全部について、一つあるいは複数のハードウェアを用いて実現してもよい。
【００２２】
記憶部１２には、後述するコピー制御処理（図６、図７）のプログラムが記憶されている。また、記憶部１２における特定のパーマネントエリアには、後述するコピー開始待ち設定値Ｗやコピー開始待ち時間Ｔなどの各種設定値が記憶される。
【００２３】
表示部１３は、各種情報を表示するための表示デバイスを有する。本実施形態の表示部１３は、表示デバイスとして少なくとも前述のディスプレイ６を有する。入力部１４は、各種入力操作を受け付けるための入力用デバイスを有する。本実施形態の入力部１４は、入力用デバイスとして少なくとも前述のタッチパネル７を有する。
【００２４】
画像読取部１５は、前述の読取ユニット５を備える。読取ユニット５は、光源５ａとイメージセンサ５ｂとを有する。スキャン機能又はコピー機能の実行が指示されると、読取ユニット５により原稿の画像の読み取りが行われる。具体的に、光源５ａから原稿へ光を照射した状態で、イメージセンサ５ｂにより原稿の画像を読み取り、読み取った画像に応じた電気信号を出力する。画像読取部１５は、イメージセンサ５ｂから出力される電気信号に基づき、読み取った画像の画像データを生成する。
【００２５】
印刷部１６は、インクジェット技術や電子写真技術を利用した印刷機構を有し、シート状の記録用紙に画像を印刷することが可能である。
カバー開閉センサ１７は、カバー３の開閉を検知し、検知結果に応じた開閉情報を出力する。即ち、カバー開閉センサ１７は、カバー３が閉じた状態にある場合はカバー３が閉じていることを示す開閉情報を出力し、カバー３が開いた状態にある場合はカバー３が開
いていることを示す開閉情報を出力する。制御部１１は、カバー開閉センサ１７からの開閉情報を取得し、その開閉情報に基づいてカバー３の開閉状態を判断することができる。
【００２６】
なお、カバー３がどの程度開いた場合にカバー開閉センサ１７によってカバー３が開いていると検知されるようにするかについては、適宜決めてもよい。例えば、図１の上段に示すようにカバー３が完全に閉じられている場合に閉状態と検知されるようにし、その完全に閉じられた状態から少しでも開いた場合は開状態と検知されるようにしてもよい。また例えば、カバー３が完全に閉じた状態から特定角度（例えば５度）開くまでは閉状態と検知されるようにし、特定角度を超えたら開状態と検知されるようにしてもよい。
【００２７】
音声出力部１８は、複合機１の動作状態に応じて制御部１１から入力される音声出力指令に従い、音声を出力する。例えば、複合機１において異常が発生した場合、音声出力部１８は、異常発生を示す特定の警告音を出力する。
【００２８】
通信部１９は、複合機１を各種通信ネットワークに接続するための通信インタフェースである。通信部１９を介して接続可能な通信ネットワークは適宜決めてよく、例えば、ＬＡＮ、インターネット、公衆電話網などの各種通信ネットワークの少なくとも１つに接続可能であってもよい。
【００２９】
（１−２）ブック原稿の読み取りの態様
複合機１においては、本の見開き全体若しくは見開きの一部の画像、即ちブック原稿の画像を、スキャン機能及びコピー機能において読み取らせることができる。ブック原稿の画像を読み取らせる場合の具体的手順の一例を、図３を用いて説明する。
【００３０】
図３に例示するように、ブック原稿４０の画像を読み取らせる場合、ユーザは、カバー３を開けた状態で、ブック原稿４０を原稿台４に載置する。そして、ディスプレイ６に表示されている、読み取りを指示するためのスタートボタンを、指示体３３により押下する。なお、図３では、指示体３３の一例として、ユーザの右手３１の人差し指が例示されている。また、ディスプレイ６に表示されている画像に対して「押下」とは、本実施形態では、タッチパネル７を介して当該画像を指示すること、より具体的には当該画像を指示体３３によりタップ操作することを意味する。
【００３１】
ユーザは、スタートボタン押下により読み取りを指示した後、ブック原稿４０を、右手３１および左手３２の両手で原稿台４に押さえつける。ブック原稿４０を原稿台４にしっかり押さえつけることで、読み取り結果においてブック原稿４０の中央部の影を抑制したり、原稿が原稿台４から離れることによって生じる画像のぼけを抑制したりすることができる。
【００３２】
スタートボタンを押下した後、ブック原稿４０を両手でしっかり押さえつけるまでには、ある程度の時間を要する。そこで本実施形態では、カバー３が開いている状態でスタートボタンが押下された場合は、スタートボタン押下後に画像の読み取りをすぐには開始させず、スタートボタン押下から一定時間経過した後に開始させるようにすることが可能に構成されている。
【００３３】
（１−３）コピー機能の説明
画像読取部１５による原稿の画像の読み取りが行われる機能として、本実施形態では、スキャン機能とコピー機能がある。このうちコピー機能実行時の具体的動作例について、図４及び図５を用いて説明する。
【００３４】
ユーザにより、コピー機能を実行させるための特定の操作が行われると、ディスプレイ
６に、図４に示すコピーモード画面５０が表示される。コピーモード画面５０には、例えば用紙サイズ、用紙タイプ、両面印刷の有無など、これから実行されるコピー機能に対する各種設定情報が表示される。また、コピーモード画面５０には、スタートボタン５１と、設定ボタン５２とが表示される。
【００３５】
設定ボタン５２を指示体３３で押下すると、ディスプレイ６にコピー設定画面６０が表示される。コピー設定画面６０は、コピー機能を実行させる際の各種設定値を設定するための画面である。各種設定値は、記憶部１２におけるパーマネントエリアに記憶される。ユーザは、コピー設定画面６０において、各種設定値を変更することができる。コピー設定画面６０において設定値を変更する操作が行われると、記憶部１２のパーマネントエリアに記憶される設定値もその変更後の値に更新される。
【００３６】
コピー設定画面６０で設定可能な設定値には、コピー開始待ち設定値Ｗと、コピー開始待ち時間Ｔとが含まれる。コピー開始待ち設定値Ｗは、カバー３が開いた状態でコピーモード画面５０中のスタートボタン５１が押下された場合に、コピーをすぐに開始するか、若しくは一定時間待機した後に開始するかを示す設定値である。コピー開始待ち設定値Ｗを「オフ」に設定した場合は、コピーモード画面５０でスタートボタン５１を押下した場合、すぐにコピーが開始される。
【００３７】
なお、コピーが開始されるとは、より具体的には、画像読取部１５の読取ユニット５による原稿の画像の読み取りが開始されることを意味する。また、指示体によりスタートボタン５１が押下されること、ひいてはその押下時にタッチパネル７から制御部１１へ入力される位置信号は、本発明の読取開始指示に相当する。
【００３８】
コピーが開始されると、コピーが終了するまでの間、即ち画像の読み取りからその読み取った画像の印刷までの、コピー機能における一連の処理が終了するまでの間、ディスプレイ６には、図４に例示するコピー中画面５５が表示される。
【００３９】
一方、コピー開始待ち設定値Ｗが「オン」に設定されている場合、カバー３を開いた状態でコピーモード画面５０のスタートボタン５１を押下すると、すぐにはコピーが開始されず、スタートボタン５１の押下からコピー開始待ち時間Ｔが経過した後にコピーが開始される。コピー開始待ち時間Ｔの値は、コピー設定画面６０を起点としてユーザが任意に設定変更することができる。なお、コピー開始待ち時間Ｔは、本発明の待機時間に相当する。
【００４０】
コピー設定画面６０には、コピー開始待ち設定値Ｗ及びコピー開始待ち時間Ｔのそれぞれについて、現在設定されている値、即ち記憶部１２におけるパーマネントエリアに格納されている値が表示される。図４のコピー設定画面６０は、コピー開始待ち設定値Ｗが「オン」に設定されていて、コピー開始待ち時間Ｔが２秒に設定されている例を示している。
【００４１】
コピー開始待ち設定値Ｗが「オン」に設定されている場合、カバー３を開けた状態でコピーモード画面５０のスタートボタン５１を押下すると、コピー開始までの計時が開始され、ディスプレイ６には図４に例示するコピー開始待ち画面７０が表示される。
【００４２】
コピー開始待ち画面７０には、計時開始からの経過時間、換言すればコピー開始までの残り時間を示す、プログレスバー７１が表示される。プログレスバー７１の右端近傍には、コピー開始待ち時間Ｔの値を示す時間情報７１ｄが表示される。図４では、時間情報７１ｄの一例として、コピー開始待ち時間Ｔが２秒に設定されていることを示す「２：００」という文字が表示されている。
【００４３】
計時情報としてのプログレスバー７１は、横長棒状の枠７１ａと、枠７１ａ内に表示される横長棒状の計時バー７１ｂと、計時バー７１ｂの先端に表示されるバー先端７１ｃとを含む。
【００４４】
計時バー７１ｂは、本発明の計時時間画像に相当するものであり、コピー開始待ち時間Ｔに対する現在の計時時間の割合を示す。即ち、計時バー７１ｂは、枠７１ａ内の左端を起点として、計時時間に応じて右側へ伸びていく。計時バー７１ｂの長さは計時時間に比例する。そして、計時時間がコピー開始待ち時間Ｔに到達した時に、計時バー７１ｂもちょうど枠７１ａの右端まで伸びた状態になり、バー先端７１ｃも枠７１ａの右端に到達する。また、計時時間がコピー開始待ち時間Ｔに到達すると、コピーが開始され、ディスプレイ６に表示される画面はコピー中画面５５に切り替わる。
【００４５】
コピー開始待ち画面７０には、プログレスバー７１のほか、チェックボックス７２も表示される。このチェックボックス７２は、コピー開始待ち設定値Ｗのオン、オフ状態を切り替えるために設けられている。コピー開始待ち設定値Ｗは、前述の通りコピー設定画面６０で設定変更することができるが、それに加え、コピー開始待ち画面７０においても設定変更することができる。
【００４６】
コピーモード画面５０でスタートボタン５１を押下した場合にコピー開始待ち画面７０が表示された場合は、コピー開始待ち設定値Ｗがオンに設定されているということである。そのため、コピー開始待ち画面７０が表示された直後は、チェックボックス７２にはチェックマークが表示されている。
【００４７】
ユーザは、指示体３３によってチェックボックス７２を押下することで、コピー開始待ち設定値Ｗのオン、オフを切り替えることができる。即ち、図４に示すようにコピー開始待ち設定値Ｗがオンに設定されている状態で、チェックボックス７２を押下すると、コピー開始待ち設定値Ｗがオフに設定変更され、チェックボックス７２からチェックマークが消去される。その後再びチェックボックス７２を押下すると、コピー開始待ち設定値Ｗが再びオンに設定変更され、チェックボックス７２には再びチェックマークが表示される。つまり、ユーザがチェックボックス７２を押下する度に、コピー開始待ち設定値Ｗのオン、オフが切り替わる。
【００４８】
チェックボックス７２の押下によりコピー開始待ち設定値Ｗが変更された場合、その変更後の値は、次回以降のスタートボタン５１押下時から有効となる。即ち、コピー開始待ち画面７０においてチェックボックス７２を押下してコピー開始待ち設定値Ｗをオフに変更しても、記憶部１２のパーマネントエリアに記憶されている値はその変更後の値に更新されるものの、現在実行中の計時はそのまま継続され、計時時間がコピー開始待ち時間Ｔに到達した後にコピーが開始される。ただし、チェックボックス７２を押下してコピー開始待ち設定値Ｗをオフに変更した場合、その変更後の設定値Ｗを反映させてすぐにコピーを開始するようにしてもよい。
【００４９】
なお、指示体によりチェックボックス７２が押下されることによってタッチパネル７から制御部１１へ入力される位置信号は、本発明の設定変更指示に相当する。
コピー開始待ち画面７０が表示されている間、プログレスバー７１の計時バー７１ｂは、時間経過に応じて右方向へ伸びていくが、ユーザは、計時中に計時バー７１ｂを指示体３３で操作することで、計時時間を増加又は減少させることができる。
【００５０】
即ち、図５（ａ）に示すように、例えば計時がコピー開始待ち時間Ｔの約半分まで進んだ状態で、バー先端７１ｃを指示体３３でタッチすると、計時が一時停止する。そして、
指示体３３を右方向へ移動すると、指示体３３の位置に追従してバー先端７１ｃの位置も右側へ移動し、それにより計時バー７１ｂも伸びる。そして、一時停止状態の計時時間は、指示体３３の移動量に応じて変更される。つまり、一時停止状態の計時時間は、移動後のバー先端７１ｃの位置に応じた時間、即ち移動後の計時バー７１ｂの長さに応じた時間に変更される。そして、指示体３３をタッチパネル７から離すと、その離す直前のバー先端７１ｃの位置に応じて変更されている計時時間から、計時が再開される。
【００５１】
また、図５（ｂ）に示すように、例えば計時がコピー開始待ち時間Ｔの約７割まで進んだ状態で、バー先端７１ｃを指示体３３でタッチしたとする。この場合も計時が一時停止する。そして、指示体３３を左方向へ移動すると、指示体３３の位置に追従してバー先端７１ｃの位置も左側へ移動し、それにより計時バー７１ｂの長さが縮む。そして、一時停止状態の計時時間は、移動後のバー先端７１ｃの位置に応じた時間、即ち移動後の計時バー７１ｂの長さに応じた時間に変更される。そして、指示体３３をタッチパネル７から離すと、その離す直前のバー先端７１ｃの位置に応じて変更されている計時時間から、計時が再開される。
【００５２】
なお、計時時間の増減は、バー先端７１ｃを指示体３３でタッチした状態で指示体３３を移動させることに限らず、例えば計時バー７１ｂにおける任意の位置を指示体３３でタッチした状態で指示体３３を移動させることによっても可能である。
【００５３】
このように、計時中に計時バー７１ｂの長さを増減する増減指示を行うことで、計時時間を増減させることができる。そのため、例えばすぐにコピーを開始させたい場合は、計時バー７１ｂの長さを右側へ伸ばすことで、コピー開始待ち時間Ｔが経過する前にコピーを開始させることができる。逆に、コピー開始までの時間を増やしたい場合は、計時バー７１ｂの長さを左側へ縮めることで、計時時間を短くして、コピー開始までの時間をより多く確保することができる。
【００５４】
（１−４）コピー制御処理
次に、制御部１１が実行するコピー制御処理について、図６〜図７を用いて説明する。制御部１１は、コピー機能を実行させるための特定の操作が行われた場合、図６〜図７に示すコピー制御処理を実行する。
【００５５】
制御部１１は、コピー制御処理を開始すると、Ｓ１１０で、ディスプレイ６にコピーモード画面５０を表示させる。Ｓ１２０では、コピーモード画面５０中のスタートボタン５１が押下されたか否か判断する。スタートボタン５１が押下されていない場合はＳ３４０に進む。
【００５６】
Ｓ３４０では、コピーモード画面５０中の設定ボタン５２が押下されたか否か判断する。設定ボタン５２が押下されていない場合は、Ｓ１２０に戻る。設定ボタン５２が押下された場合は、Ｓ３５０に進む。
【００５７】
Ｓ３５０では、ディスプレイ６にコピー設定画面６０を表示させる。Ｓ３６０では、コピー設定処理を実行する。コピー設定処理とは、コピー設定画面６０を起点として、ユーザ操作に従い、コピー設定画面６０に表示される各種設定項目の設定値の設定変更を受け付ける処理である。このコピー設定処理によって、記憶部１２のパーマネントエリアに記憶されている各種設定値を変更することができる。Ｓ３６０のコピー設定処理の開始後、ユーザにより特定の設定完了操作が行われたら、Ｓ１１０に戻る。
【００５８】
Ｓ１２０で、スタートボタン５１が押下された場合は、Ｓ１３０に進む。Ｓ１３０では、カバー開閉センサ１７からの開閉情報に基づき、カバー３の開閉状態を取得する。Ｓ１
４０では、Ｓ１３０で取得した開閉状態に基づき、カバー３が開いているか否か判断する。
【００５９】
カバー３が閉じている場合は、Ｓ１５０で、コピー処理を実行する。即ち、読取ユニット５による画像の読み取りからその読み取った画像の印刷までの、コピー機能における一連の処理を実行する。また、コピー処理の実行中、ディスプレイ６にはコピー中画面５５を表示させる。
【００６０】
Ｓ１４０で、カバー３が開いている場合は、Ｓ１６０に進む。Ｓ１６０では、記憶部１２のパーマネントエリアから、現在設定されているコピー開始待ち設定値Ｗを取得し、記憶部１２における特定のテンポラリエリアに一時的に格納する。
【００６１】
Ｓ１７０では、Ｓ１６０で取得したコピー開始待ち設定値Ｗがオンであるか否か判断する。コピー開始待ち設定値Ｗがオフである場合は、Ｓ１５０に進み、コピー処理を実行する。コピー開始待ち設定値Ｗがオンである場合は、Ｓ１８０に進む。
【００６２】
Ｓ１８０では、記憶部１２のパーマネントエリアから、現在設定されているコピー開始待ち時間Ｔを取得し、記憶部１２における上記テンポラリエリアに一時的に格納する。そして、Ｓ１９０で計時時間ｔを０にセットして、Ｓ２１０に進む。
【００６３】
Ｓ２１０では、現在テンポラリエリアに格納されているコピー開始待ち設定値Ｗとコピー開始待ち時間Ｔ、及び現在セットされている計時時間ｔに従って、コピー開始待ち画面７０を表示させる。ここで表示させるコピー開始待ち画面７０において、時間情報７１ｄは、テンポラリエリアに記憶されているコピー開始待ち時間Ｔに対応した値となる。また、テンポラリエリアに記憶されているコピー開始待ち設定値Ｗがオンである場合はチェックボックス７２にはチェックマークを表示させ、オフである場合はチェックマークを表示させない。また、プログレスバー７１における計時バー７１ｂの長さは、現在セットされている計時時間ｔに応じた長さ、即ち、コピー開始待ち時間Ｔに対する現在の計時時間ｔの割合に応じた長さとなる。
【００６４】
Ｓ２２０では、規定時間ｔｓの間、システムをスリープさせる。即ち、少なくともコピー機能に関し、規定時間Ｔｓの間、処理を行わず待機する。規定時間ｔｓ経過後、Ｓ２３０で、計時時間ｔの値を、現在の値からｔｓ加算した値に更新する。つまり、Ｓ２２０〜Ｓ２３０の処理は、スタートボタン５１が押下されてからの経過時間の計時を行う処理である。
【００６５】
Ｓ２４０では、指示体によりチェックボックス７２が押下されたか否か判断する。チェックボックス７２が押下されていない場合はＳ２６０に進む。チェックボックス７２が押下された場合は、Ｓ２５０に進む。
【００６６】
Ｓ２５０では、コピー開始待ち設定値Ｗの更新処理を行う。具体的には、記憶部１２のパーマネントエリア及びテンポラリエリアに記憶されている各コピー開始待ち設定値Ｗのオン・オフの値を切り替える。例えば現在オンに設定されている場合はオフに更新し、現在オフに設定されている場合はオンに更新する。
【００６７】
Ｓ２６０では、指示体によりプログレスバー７１の計時バー７１ｂが押下されているか否か判断する。ここでいう計時バー７１ｂの押下とは、バー先端７１ｃの押下も含む。
計時バー７１ｂが押下されていない場合はＳ３３０に進む。計時バー７１ｂが押下されている場合は、Ｓ２７０に進む。Ｓ２７０では、計時バー７１ｂを押下している指示体が左右方向に移動したか否か判断する。左右方向に移動していない場合はＳ２９０に進む。
左右方向に移動した場合はＳ２８０に進む。Ｓ２８０では、バー先端７１ｃの位置を、移動後の指示体の位置に変更する。このとき、計時バー７１ｂの長さも、変更後のバー先端７１ｃの位置に併せて増減させる。
【００６８】
Ｓ２９０では、計時バー７１ｂの押下が継続されているか否か判断する。押下が継続されている場合はＳ２７０に戻る。指示体が計時バー７１ｂから離れて計時バー７１ｂが押下されていない場合は、Ｓ３００に進む。
【００６９】
Ｓ３００では、現在のバー先端７１ｃの位置から、変更時間ｔｃを算出する。具体的には、Ｓ２６０で計時バー７１ｂが押下されていると判断されたときのバー先端７１ｃの位置（以下、変更前位置）と、現在のバー先端７１ｃの位置（以下、現位置）との差に基づいて、その差に応じた時間を、変更時間ｔｃとして算出する。
【００７０】
例えば、変更前位置が計時時間ｔ＝０．７秒に相当する位置であったのに対し、指示体の右方向への移動操作によって、原位置が計時時間ｔ＝１．８秒に相当する位置になっているとする。この場合は、変更時間ｔｃとして、両位置の差に相当する「１．１秒」を算出する。また例えば、変更前位置が計時時間ｔ＝１．２秒に相当する位置であったのに対し、指示体の左方向への移動操作によって、原位置が計時時間ｔ＝０．２秒に相当する位置になっているとする。この場合は、変更時間ｔｃとして、両者の差に相当する「−１．０秒」を算出する。
【００７１】
Ｓ３１０では、現在の計時時間ｔに、Ｓ３００で算出した変更時間ｔｃを加算することで、計時時間ｔを更新する。この更新演算により、例えば変更時間ｔｃが正の値の場合は、変更時間ｔｃの分、コピー開始までの残り時間が早まることになる。逆に、例えば変更時間ｔｃが負の値の場合は、変更時間ｔｃの分、コピー開始までの残り時間が増えることになる。
【００７２】
Ｓ３２０では、記憶部１２のパーマネントエリアに記憶されているコピー開始待ち時間Ｔの値を、現在の値にＳ３００で算出した変更時間ｔｃを加算した値に変更する。
Ｓ３３０では、現在の計時時間ｔが、テンポラリエリアに格納されているコピー開始待ち時間Ｔ以上であるか否か判断する。現在の計時時間ｔがテンポラリエリアに格納されているコピー開始待ち時間Ｔ未満である場合はＳ２１０に戻る。現在の計時時間ｔがテンポラリエリアに格納されているコピー開始待ち時間Ｔ以上である場合は、Ｓ１５０に進み、コピー処理を実行する。
【００７３】
Ｓ３３０からＳ２１０に戻った場合は、引き続きコピー開始待ち画面７０の表示を継続するが、Ｓ２１０に戻る度に、その戻った時点での計時時間ｔ、及び戻った時点でのテンポラリエリア内のＷ，Ｔの各値に従って、画面の内容を更新する。
【００７４】
（１−５）第１実施形態の効果
以上説明した第１実施形態によれば、以下の（１ａ）〜（１ｆ）の効果を奏する。
（１ａ）コピーモード画面５０のスタートボタン５１が押下された場合、カバー開閉センサ１７からの開閉情報に基づいてカバー３の開閉状態を判断し、カバー３が開いている場合は、すぐにはコピー処理を開始せず、コピー開始待ち時間Ｔが経過するまで待機する。
【００７５】
そのため、ユーザは、コピー開始待ち時間Ｔが経過するまでの間、ブック原稿４０を両手でしっかり押さえつけるなど、良好なコピー結果が得られるようにするための各種の準備作業を行うことができる。よって、ブック原稿４０の画像を読み取る際、ユーザの負担の増加を抑制しつつ、良好な読み取り結果を得ることが可能となる。
【００７６】
（１ｂ）カバー３が閉じている場合は、コピー開始待ち時間Ｔの待機は行われずにコピー処理が実行される。つまり、コピー開始待ち時間Ｔの待機が行われるのはカバー３が開いているときである。そのため、カバー３を閉じた状態でコピーを行うユーザに対してはコピー開始待ち時間Ｔの待機をさせることなく、使い勝手の低下を抑制することができる。
【００７７】
（１ｃ）コピー開始待ち設定値Ｗを、オン、オフの何れかに設定することができ、オフに設定することで、カバー３が開いた状態であっても待ち時間を設けることなく迅速にコピーを行うことができる。
【００７８】
そのため、ユーザは、例えばブック原稿４０を読み取らせる場合にはコピー開始待ち設定値Ｗをオンに設定し、ブック原稿以外の原稿を読み取らせる場合にはコピー開始待ち設定値Ｗをオフに設定するなど、原稿の種類に応じた効率的な画像の読み取りを実現させることができる。
【００７９】
（１ｄ）コピー開始待ち画面７０には、計時開始からの経過時間である計時時間ｔを示すプログレスバー７１が表示され、ユーザは、プログレスバー７１を見ることで、スタートボタン５１を押下してからどの程度時間がたったか、コピー処理が開始されるまであとどのくらい時間が残っているか、などを視覚的に容易に把握することができる。
【００８０】
（１ｅ）コピー開始待ち画面７０において、ユーザは、プログレスバー７１における計時バー７１ｂを指示体で操作することで、計時時間ｔを増減させることができる。そのため、ユーザは、スタートボタン５１の押下後、実際にコピー処理が開始されるまでの残り時間を容易に増減させることができる。
【００８１】
（１ｆ）コピー開始待ち設定値Ｗの設定変更は、コピー開始待ち画面７０においても行うことができる。そのため、ユーザは、例えば次回からはカバー３が開いた状態であっても直ぐにコピーを実行させたい場合は、チェックボックス７２を押下してチェックマークを消去することで、それを実現できる。
【００８２】
（１−６）特許請求の範囲の文言との対応関係
ここで、第１実施形態の文言と特許請求の範囲の文言との対応関係について説明する。
複合機１は、画像読取装置に相当する。カバー開閉センサ１７は、開閉検知部に相当する。記憶部１２は記憶媒体に相当する。また、図６及び図７のコピー制御処理において、Ｓ１２０の処理は開始指示判断処理に相当し、Ｓ１３０〜Ｓ１４０の処理は開閉判断処理に相当し、Ｓ１９０及びＳ２３０の処理は計時処理に相当し、Ｓ１５０の処理は読取開始処理に相当し、Ｓ２１０の処理は表示処理に相当し、Ｓ２５０の処理は設定変更処理に相当し、Ｓ３００〜Ｓ３１０の処理は計時増減処理に相当する。
【００８３】
［２．第２実施形態］
第２実施形態は、基本的な構成は第１実施形態と同様であるため、相違点について以下に説明する。なお、第１実施形態と同じ符号は、同一の構成を示すものであって、先行する説明を参照する。
【００８４】
第２実施形態が第１実施形態と異なる主な相違点は、コピー開始待ち画面の内容と、コピー制御処理における一部処理の内容である。コピー開始待ち画面については、第２実施形態では、図８に示すようなコピー開始待ち画面８０が表示される。コピー制御処理については、図６及び図７に示した第１実施形態のコピー制御処理のうち、Ｓ１９０の処理後、Ｓ１５０に進むまでの処理として、図７に示した処理に代えて、図９に示す処理が実行
される。
【００８５】
第２実施形態のコピー開始待ち画面８０は、図８に示す通りであり、プログレスバー７１と、一時停止ボタン８１が表示される。プログレスバー７１については第１実施形態と同じである。一時停止ボタン８１は、計時時間ｔの計時を一時的に停止させるためのボタンである。計時開始後、計時時間ｔがコピー開始待ち時間Ｔに到達するまでの間に、一時停止ボタン８１が指示体によって押下されると、計時が一時停止し、且つ、一時停止ボタン８１に代えて再開ボタン８２が表示される。
【００８６】
再開ボタン８２が押下されるまでは、一時停止状態が継続され、計時時間ｔの計時は行われず、プログレスバー７１の内容も不変である。再開ボタン８２が押下されると、計時時間ｔの計時が再開され、プログレスバー７１の動作も再開される。また、再開ボタン８２に代えて再び一時停止ボタン８１が表示される。ここでまた一時停止ボタン８１を押下すれば、計時を再び一時停止させることができる。
【００８７】
なお、指示体により一時停止ボタン８１が押下されることによってタッチパネル７から制御部１１へ入力される位置信号は、本発明の一時停止指示に相当する。また、指示体により再開ボタン８２が押下されることによってタッチパネル７から制御部１１へ入力される位置信号は、本発明の再開指示に相当する。
【００８８】
次に、第２実施形態のコピー制御処理について、第１実施形態のコピー制御処理とは異なる部分、即ちＳ１９０以降の処理について、図９を用いて説明する。図９の処理は、全体として、本発明の一時停止処理及び再開処理に相当する。制御部１１は、Ｓ１９０で計時時間ｔを０にセットした後、図９のＳ４１０に進む。
【００８９】
Ｓ４１０では、コピー開始待ち画面８０中のプログレスバー７１の下部に表示させる操作ボタンを、一時停止ボタン８１に設定する。Ｓ４２０では、現在テンポラリエリアに格納されているコピー開始待ち時間Ｔ、現在セットされている計時時間ｔ、及び操作ボタンとして設定されているボタンの種類に従って、コピー開始待ち画面８０を表示させる。ここで表示させるコピー開始待ち画面８０において、時間情報７１ｄは、テンポラリエリアに記憶されているコピー開始待ち時間Ｔに対応した値となる。また、プログレスバー７１における計時バー７１ｂの長さは、現在セットされている計時時間ｔに応じた長さ、即ち、コピー開始待ち時間Ｔに対する現在の計時時間ｔの割合に応じた長さとなる。また、操作ボタンについては、一時停止ボタン８１及び再開ボタン８２のうち現在設定されている何れか一方が表示される。
【００９０】
Ｓ４３０では、設定されている操作ボタンが一時停止ボタン８１であるか否か判断する。なお、現在設定されている操作ボタンが一時停止ボタン８１である場合は、計時時間ｔの計時が行われていることを意味し、現在設定されている操作ボタンが再開ボタン８２である場合は、計時時間ｔの計時が一時停止されていることを意味する。
【００９１】
現在設定されている操作ボタンが一時停止ボタン８１である場合は、Ｓ４４０に進む。Ｓ４４０〜Ｓ４５０の処理は、図７のＳ２２０〜Ｓ２３０と同じである。即ち、Ｓ４４０で規定時間ｔｓの間システムをスリープさせ、Ｓ４５０で計時時間ｔの値を現在の値からｔｓ加算した値に更新することで、計時時間ｔの計時を進める。
【００９２】
Ｓ４６０では、一時停止ボタン８１が押下されたか否か判断する。一時停止ボタン８１が押下されていない場合は、Ｓ４８０に進む。Ｓ４８０では、現在の計時時間ｔが、テンポラリエリアに格納されているコピー開始待ち時間Ｔ以上であるか否か判断する。現在の計時時間ｔがテンポラリエリアに格納されているコピー開始待ち時間Ｔ未満である場合は
Ｓ４２０に戻る。現在の計時時間ｔがテンポラリエリアに格納されているコピー開始待ち時間Ｔ以上である場合は、図６のＳ１５０に進み、コピー処理を実行する。
【００９３】
Ｓ４６０で、一時停止ボタン８１が押下された場合は、Ｓ４７０で、操作ボタンの設定を再開ボタン８２に変更して、Ｓ４２０に戻る。この結果、次のＳ４２０では、コピー開始待ち画面８０に、操作ボタンとして再開ボタン８２が表示されることになる。
【００９４】
Ｓ４３０で、現在設定されている操作ボタンが一時停止ボタン８１ではない場合、即ち再開ボタン８２である場合は、Ｓ４９０に進む。Ｓ４９０では、再開ボタン８２が押下されたか否か判断する。再開ボタン８２が押下されていない場合は、Ｓ５１０に進む。再開ボタン８２が押下された場合は、Ｓ５００に進む。Ｓ５００では、操作ボタンの設定を一時停止ボタン８１に変更する。
【００９５】
Ｓ５１０では、Ｓ４４０と同様、規定時間ｔｓの間、システムをスリープさせる。ただし、計時時間ｔは更新せず、現在の値を維持する。Ｓ５１０の処理後は、Ｓ４２０に戻る。
【００９６】
以上説明した第２実施形態によれば、前述した第１実施形態の効果（１ａ）〜（１ｄ）を奏し、さらに、次の効果を奏する。即ち、ユーザは、スタートボタン５１を押下した後、コピー開始待ち時間Ｔが経過するまでの間に、計時時間ｔの計時を一時停止させることができる。そのため、例えばコピー開始までに各種準備作業を完了できない状況が発生しても、計時を一時停止させることで、各種準備作業の時間を確保することが可能となる。
【００９７】
［３．他の実施形態］
以上、本発明の実施形態について説明したが、本発明は上述の実施形態に限定されることなく、種々変形して実施することができる。
【００９８】
（３−１）複合機１が、ブック原稿のコピーを対象とした特定のブックコピー機能を備えていて、そのブックコピー機能の有効、無効の設定を選択できるよう構成されている場合は、ブックコピー機能が有効に設定されている場合にコピー開始までの待機を行い、ブックコピー機能が無効に設定されている場合は待機せずにすぐにコピー処理を開始するようにしてもよい。
【００９９】
なお、ブックコピー機能としては、例えば、傾き補正機能、中スジ除去機能、枠外影除去機能などが挙げられる。ブックコピー機能が有効に設定された状態でコピーが行われると、読み取られた画像の画像データに対する画像処理が行われ、上記各機能が施される。例えば、画像データからブック原稿の外周エッジが抽出され、その抽出されたエッジよりも外側の影が除去される。これが枠外影除去機能である。また、抽出されたエッジの傾きに基づいてブック原稿の傾きが補正される。これが傾き補正機能である。また、抽出されたエッジにより囲まれる領域から、ブック原稿の見開き中央部分の位置が推測され、その推測された位置に存在している影が除去される。これが中スジ除去機能である。
【０１００】
（３−２）本発明の適用は、コピー機能に限らず、原稿の画像の読み取りを伴う各種の機能に対して適用可能である。例えば、上記実施形態の複合機１は、スキャン機能を備えている。そのスキャン機能における画像読み取りの際にも、本発明を適用して、カバー３が開いている場合はスキャン開始指示が行われた後すぐに読み取りを開始せずに一定時間Ｔの経過を待ってから読み取りを開始するようにしてもよい。
【０１０１】
（３−３）コピー開始待ち設定値Ｗがオンに設定されている場合、スタートボタン５１が押下されてからコピー処理が開始されるまでの間、ユーザに対し、コピー処理開始まで
待機中であることを視覚的又は聴覚的に認識させるようにしてもよい。
【０１０２】
例えば、スタートボタン５１の押下後、計時時間ｔがコピー開始待ち時間Ｔに達するまでの間、音声出力部１８から特定の音を発生させたり、読取ユニット５の光源５ａを特定のパターンで明滅させたりしてもよい。
【０１０３】
このように、コピー処理開始まで待機中であることを視覚的又は聴覚的に認識させることは、特に、原稿サイズが大きくて原稿を原稿台４に載置した場合にディスプレイ６が原稿によって覆われてディスプレイ６の一部又は全部が見えなくなるような場合に有用である。
【０１０４】
（３−４）コピー開始待ち画面において、計時情報として、プログレスバー７１に代えて、又はプログレスバー７１に加えて、コピー開始待ち時間Ｔが経過するまでの残り時間を表示させるようにしてもよい。その他、計時情報としては、計時開始からの経過時間或いは残り時間をユーザが認識可能な各種態様の情報を表示させてもよい。
【０１０５】
（３−５）原稿の読み取り開始を指示する具体的態様として、タッチパネル７を介してスタートボタン５１を押下する態様はあくまでも一例である。タッチパネル７とは別に設けられたハードキーの操作によって読み取り開始を指示できる構成であってもよい。
【０１０６】
（３−６）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言から特定される技術思想に含まれるあらゆる態様が本発明の実施形態である。
【符号の説明】
【０１０７】
１…複合機、２…本体部、３…カバー、４…原稿台、５…読取ユニット、５ａ…光源、５ｂ…イメージセンサ、６…ディスプレイ、７…タッチパネル、１１…制御部、１２…記憶部、１３…表示部、１４…入力部、１５…画像読取部、１６…印刷部、１７…カバー開閉センサ、１８…音声出力部、１９…通信部、３３…指示体、４０…ブック原稿、５０…コピーモード画面、５１…スタートボタン、５２…設定ボタン、５５…コピー中画面、６０…コピー設定画面、７０，８０…コピー開始待ち画面、７１…プログレスバー、７１ａ…枠、７１ｂ…計時バー、７１ｃ…バー先端、７１ｄ…時間情報、７２…チェックボックス、８１…一時停止ボタン、８２…再開ボタン。
【図１】
2018056954.tif 000003
【図２】
2018056954.tif 000004
【図３】
2018056954.tif 000005
【図４】
2018056954.tif 000006
【図５】
2018056954.tif 000007
【図６】
2018056954.tif 000008
【図７】
2018056954.tif 000009
【図８】
2018056954.tif 000010
【図９】
2018056954.tif 000011